(57)【特許請求の範囲】
【請求項１】
表示パネルと、
前記表示パネルのベンディングを感知する変形感知部と、
前記表示パネルを制御し、及び前記変形感知部を利用することで、前記ベンディングを検出する制御部と、を含み、
前記制御部は、
前記表示パネルに複数の客体を表示し、
前記変形感知部を通じて前記表示パネルのベンディングを検出し、
前記ベンディングのベンディングラインを基準に前記表示パネルに第１及び第２領域を区画し、
前記客体を前記第１領域に対応する第１客体及び前記第２領域に対応する第２客体として区分し、
前記ベンディングにしたがって、前記第１客体及び第２客体を、各々第１方向及び前記第１方向と異なる第２方向へ移動させ、
ベンディング角度が設定値より小さい場合の前記第１及び第２客体の各々が移動する距離は、ベンディング角度が設定値より大きい場合の第１及び第２客体の各々が移動する距離より大きいことを特徴とする表示装置。
【請求項２】
前記第１方向は、前記第１客体を基準とした場合に、前記ベンディングラインから離れる方向であり、
前記第２方向は、前記第２客体を基準とした場合に、前記ベンディングラインから離れる方向であることを特徴とする請求項１に記載の表示装置。
【請求項３】
前記第１方向は、前記第１客体を基準とした場合に、前記ベンディングラインに向かう方向であり、
前記第２方向は、前記第２客体を基準とした場合に、前記ベンディングラインに向かう方向であることを特徴とする請求項１に記載の表示装置。
【請求項４】
使用者による把持を感知する把持感知部をさらに含み、
前記制御部は、前記把持感知部を利用することにより、前記使用者が把持している領域に対応する把持領域を定義し、
前記第１客体を、前記第１領域内に定義される把持領域に移動させ、前記第２客体を、前記第２領域内に定義される把持領域に移動させることを特徴とする請求項１に記載の表示装置。
【請求項５】
前記制御部は、
前記変形感知部によって前記表示パネルから検出したアンベンディングに応じて、
前記第１及び第２客体を、前記ベンディングの前の、前記第１及び第２客体の元の位置に復帰させるのであり、
前記第１及び第２客体がそれぞれ元の位置に復帰する際の移動速度は、前記第１及び第２客体が、ベンディングにしたがって、それぞれ前記第１及び第２方向に移動する際の移動速度より遅いことを特徴とする請求項１に記載の表示装置
【請求項６】
前記制御部は、
前記第１客体としての第１アイコン、及び前記第２客体としての第２アイコンを、左右の端部に移動させた後、
前記表示パネルの第１アイコンの配置領域に、第１アプリケーションに対応する第１アイコンを表示し、
前記第１アイコンを選択する第１タッチ入力を検出している状態で、
前記表示パネルの第１ベンディングを検出すると、
前記第１ベンディングに基づいて、前記第１アプリケーションの実行命令が入力されたと判断し、第１制御信号を生成し、
前記第１制御信号にしたがって、前記第１アプリケーションを実行させる請求項１〜４のいずれかに記載の表示装置。
【請求項７】
前記制御部は、
前記第１ベンディングに基づいて、前記表示パネルに、前記第１アイコンの配置領域と区分される実行領域を区画し、前記実行領域に前記第１アプリケーションの実行画面を表示することを特徴とする請求項６に記載の表示装置。
【請求項８】
前記制御部は、
前記表示パネルの第２ベンディングを感知し、
前記第２ベンディングに基づいて、前記第１アプリケーションの実行画面の大きさを調節する実行命令が入力されたと判断し、第２制御信号を生成し、
前記第２制御信号にしたがって、前記第１アプリケーションの実行画面の大きさを調節することを特徴とする請求項７に記載の表示装置。
【請求項９】
前記制御部は、
前記第１アイコンの配置領域及び実行領域がなす第１ベンディング角度が小さくなる場合に、前記第１アプリケーションの実行命令が入力されたと判断することを特徴とする請求項６に記載の表示装置。
【請求項１０】
前記表示装置は、
前記表示パネルの第２アイコンの配置領域に、第２アプリケーションに対応する第２アイコンを表示した場合に、
前記第１ベンディングの後、実行領域と前記第２アイコンの配置領域とがオーバーラップすると、前記第２アイコンを前記第１アイコンの配置領域に移動させて表示することを特徴とする請求項６に記載の表示装置。
【請求項１１】
前記制御部は、
前記表示パネルの第３ベンディングを検出し、
前記第３ベンディングに基づいて、前記第１アプリケーションの実行画面を、前記第１アイコンの配置領域に移動させて表示させるように命令が入力されたと判断し、第３制御信号を生成し、
前記第３制御信号にしたがって、前記第１アプリケーションの実行画面を前記第１アイコンの配置領域に移動させて表示することを特徴とする請求項７に記載の表示装置。
【請求項１２】
前記制御部は、
前記第１客体及び前記第２客体を左右の端部に移動させた後のいずれかの時点にて、
前記表示パネルの前記ベンディングの検出に基づいて、前記表示パネルに視認領域及び非視認領域を区画し、前記視認領域は、使用者によって視認されている領域であり、前記非視認領域は、前記使用者に視認されていない領域であり、
前記非視認領域を節電モードで駆動させることを特徴とする請求項１〜１１のいずれに記載の表示装置。
【請求項１３】
前記制御部は、
前記ベンディングの検出前に前記表示パネルに表示された客体を、前記ベンディングの検出後に、前記客体の大きさを前記視認領域に合わせるように調節し、前記客体を前記視認領域に移動させて表示することを特徴とする請求項１２に記載の表示装置。
【請求項１４】
前記制御部は、
前記ベンディングに基づいて、前記表示パネルがフォールディングしている状態である
と判断し、
前記表示パネルの前記フォールディングしている状態で、前記ベンディングの角度が予め設定されたオフ角度より小さい場合、前記表示パネルをターンオフさせることを特徴とする請求項１２に記載の表示装置。
【請求項１５】
使用者の視線を感知する視線感知部をさらに含み、
前記制御部は、前記視線感知部を利用することで、前記使用者の前記視線を検出し、前記ベンディング及び前記使用者の前記視線に基づいて、視認領域及び非視認領域を判断することを特徴とする請求項１２に記載の表示装置。
【請求項１６】
前記ベンディングは、表示画面に向かって上下方向に延びるベンディングライン及びその近傍でのみ折り曲げられ、その他の領域では平坦な状態を維持するようにして行われ、
これにより、フォールディングは、ベンディングラインを挟む、平坦で寸法の等しい２つの領域が、互いに重ね合わされるようにして行われ、
前記ベンディングラインは、前記表示装置を左右に２等分または３等分する線であることを特徴とする請求項１に記載の表示装置。
【発明の詳細な説明】
【技術分野】
【０００１】
本発明は、表示装置に関する。
【背景技術】
【０００２】
画像を提供するスマートフォン、デジタルカメラ、ノート型コンピュータ、ナビゲーション、及びテレビジョン等の電子機器は、画像を表示するための表示パネルを含む。表示パネルには、薄くて軽い平板表示パネルが広く使用されており、平板表示パネルには、液晶表示パネル、有機発光表示パネル、プラズマ表示パネル、電気泳動表示パネル等が含まれる。
【０００３】
最近は、曲げることができるフレキシブル表示パネルが開発されている。フレキシブル表示パネルは、薄く、軽く、割れないので、ＩＴ関連の製品だけではなく、衣類や紙の材質の媒体等へも応用及び適用が可能である。フレキシブル表示パネルを利用することで、折り畳んで携帯し、画像を視聴する時等に広げて使用できるフォールダブル表示装置が開発されている。
【先行技術文献】
【特許文献】
【０００４】
【特許文献１】韓国公開特許第１０−２０１０−００９２２２２号公報
【特許文献２】韓国公開特許第１０−２０１４−００２５９３１号公報
【特許文献３】韓国公開特許第１０−２０１４−００４６３４６号公報
【特許文献４】韓国公開特許第１０−２０１４−００９６８６１号公報
【特許文献５】韓国公開特許第１０−２０１２−００３２６５９号公報
【発明の概要】
【発明が解決しようとする課題】
【０００５】
本発明の目的とするところは、便宜性及び使用性を向上させた表示装置を提供することにある。
【課題を解決するための手段】
【０００６】
上記課題を解決するために、本発明のある観点によれば、表示パネルと、前記表示パネルのベンディングを感知する変形感知部と、前記表示パネルを制御し、前記変形感知部を利用することで、前記ベンディングを検出する制御部と、を含み、前記制御部は、前記表示パネルに複数の客体を表示し、前記変形感知部を通じて前記表示パネルのベンディングを検出し、前記ベンディングのベンディングラインを基準に、前記表示パネルに第１及び第２領域を区画し、前記客体を前記第１領域に対応する第１客体及び前記第２領域に対応する第２客体として区分し、前記ベンディングにしたがって、前記第１客体及び第２客体を、各々第１方向及び前記第１方向と異なる第２方向へ移動させることを特徴とする、表示装置が提供される。
【０００７】
前記第１方向は、前記第１客体を基準とした場合に、前記ベンディングラインから離れる方向であり、前記第２方向は、前記第２客体を基準とした場合に、前記ベンディングラインから離れる方向であってもよい。
【０００８】
前記第１方向は、前記第１客体を基準とした場合に、前記ベンディングラインに向かう方向であり、前記第２方向は、前記第２客体を基準とした場合に、前記ベンディングラインに向かう方向であってもよい。
【０００９】
使用者による把持を感知する把持感知部をさらに含み、前記制御部は、前記把持感知部を利用することにより、前記使用者が把持している領域に対応する把持領域を定義し、前記第１客体を、前記第１領域内に定義される把持領域に移動させ、前記第２客体を、前記第２領域内に定義される把持領域に移動させてもよい。
【００１０】
前記制御部は、前記変形感知部によって前記表示パネルから検出したアンベンディングに応じて、前記第１及び第２客体を、前記ベンディングの前の、前記第１及び第２客体の元の位置に復帰させてもよい。
【００１１】
表示パネルと、前記表示パネルのベンディングを感知する変形感知部と、前記表示パネルを制御し、前記変形感知部によって前記ベンディングを検出する制御部と、を含み、前記制御部は、前記表示パネルの第１アイコンの配置領域に、第１アプリケーションに対応する第１アイコンを表示し、前記第１アイコンを選択する第１タッチ入力を検出し、前記表示パネルの第１ベンディングを検出し、前記第１ベンディングに基づいて、前記第１アプリケーションの実行命令が入力されたと判断し、第１制御信号を生成し、前記第１制御信号にしたがって、前記第１アプリケーションを実行させてもよい。
【００１２】
前記制御部は、前記第１ベンディングに基づいて、前記表示パネルに、前記第１アイコンの配置領域と区分される実行領域を区画し、前記実行領域に前記第１アプリケーションの実行画面を表示させてもよい。
【００１３】
前記制御部は、前記表示パネルの第２ベンディングを感知し、前記第２ベンディングに基づいて、前記第１アプリケーションの実行画面の大きさを調節する実行命令が入力されたと判断し、第２制御信号を生成し、前記第２制御信号にしたがって、前記第１アプリケーションの実行画面の大きさを調節してもよい。
【００１４】
前記制御部は、前記第１アイコンの配置領域及び前記実行領域がなす第１ベンディング角度が小さくなる場合に、前記第１アプリケーションの実行命令が入力されたと判断してもよい。
【００１５】
前記表示装置は、前記表示パネルの第２アイコンの配置領域に、第２アプリケーションに対応する第２アイコンを表示した場合に、前記第１ベンディングの後、前記実行領域と前記第２アイコンの配置領域とがオーバーラップすると、前記第２アイコンを前記第１アイコンの配置領域に移動させて表示してもよい。
【００１６】
前記制御部は、前記表示パネルの第３ベンディングを検出し、前記第３ベンディングに基づいて、前記第１アプリケーションの実行画面を前記第１アイコンの配置領域に移動させて表示するように命令が入力されたと判断し、第３制御信号を生成し、前記第３制御信号にしたがって、前記第１アプリケーションの実行画面を前記第１アイコンの配置領域に移動させて表示してもよい。
【００１７】
表示パネルと、前記表示パネルのベンディングを感知する変形感知部と、前記表示パネルを制御し、上記の変形感知部によって前記ベンディングを検出する制御部と、を含み、前記制御部は、前記表示パネルの前記ベンディングの検出に基づいて、前記表示パネルに視認領域及び非視認領域を区画し、前記視認領域は、使用者によって視認されている領域であり、前記非視認領域は、前記使用者に視認されていない領域であり、前記非視認領域を節電モードで駆動されてもよい。
【００１８】
前記制御部は、前記ベンディングの検出前に前記表示パネルに表示された客体を、前記ベンディングの検出後に、前記客体の大きさを前記視認領域に合わせるように調節し、前記客体を前記視認領域に移動させて表示してもよい。
【００１９】
前記制御部は、前記ベンディングに基づいて、前記表示パネルがフォールディングしている状態であると判断し、前記表示パネルの前記フォールディングしている状態で、前記ベンディングの角度が予め設定されたオフ角度より小さい場合、前記表示パネルをターンオフさせてもよい。
【００２０】
使用者の視線を感知する視線感知部をさらに含み、前記制御部は、前記視線感知部を利用することで、前記使用者の前記視線を検出し、前記ベンディング及び前記使用者の前記視線に基づいて、視認領域及び非視認領域を判断してもよい。
【発明の効果】
【００２１】
以上説明したように本発明によれば、表示装置の便宜性及び使用性を向上させることができる。
【図面の簡単な説明】
【００２２】
【図１】本発明の一実施形態による表示装置のブロック図である。
【図２Ａ】本発明の一実施形態による表示装置の変形に対応して、使用者へのインターフェイスを提供する動作を示す図面である。
【図２Ｂ】本発明の一実施形態による表示装置の変形に対応して、使用者へのインターフェイスを提供する動作を示す図面である。
【図３】本発明の他の実施形態による表示装置の変形に対応して、使用者へのインターフェイスを提供する動作を示す図面である。
【図４Ａ】本発明のその他の実施形態による表示装置の変形に対応して、使用者へのインターフェイスを提供する動作を示す図面である。
【図４Ｂ】本発明のその他の実施形態による表示装置の変形に対応して、使用者へのインターフェイスを提供する動作を示す図面である。
【図５Ａ】本発明のその他の実施形態による表示装置の変形に対応して、使用者へのインターフェイスを提供する動作を示す図面である。
【図５Ｂ】本発明のその他の実施形態による表示装置の変形に対応して、使用者へのインターフェイスを提供する動作を示す図面である。
【図５Ｃ】本発明のその他の実施形態による表示装置の変形に対応して、使用者へのインターフェイスを提供する動作を示す図面である。
【図６Ａ】本発明のその他の実施形態による表示装置の変形に対応して、使用者へのインターフェイスを提供する動作を示す図面である。
【図６Ｂ】本発明のその他の実施形態による表示装置の変形に対応して、使用者へのインターフェイスを提供する動作を示す図面である。
【図７Ａ】本発明のその他の実施形態による表示装置の変形に対応して、使用者へのインターフェイスを提供する動作を示す図面である。
【図７Ｂ】本発明のその他の実施形態による表示装置の変形に対応して、使用者へのインターフェイスを提供する動作を示す図面である。
【図８Ａ】本発明のその他の実施形態による表示装置の変形に対応して、使用者へのインターフェイスを提供する動作を示す図面である。
【図８Ｂ】本発明のその他の実施形態による表示装置の変形に対応して、使用者へのインターフェイスを提供する動作を示す図面である。
【図９Ａ】本発明のその他の実施形態による表示装置の変形に対応して、使用者へのインターフェイスを提供する動作を示す図面である。
【図９Ｂ】本発明のその他の実施形態による表示装置の変形に対応して、使用者へのインターフェイスを提供する動作を示す図面である。
【図９Ｃ】本発明のその他の実施形態による表示装置の変形に対応して、使用者へのインターフェイスを提供する動作を示す図面である。
【図１０Ａ】本発明のその他の実施形態による表示装置の変形に対応して、使用者へのインターフェイスを提供する動作を示す図面である。
【図１０Ｂ】本発明のその他の実施形態による表示装置の変形に対応して、使用者へのインターフェイスを提供する動作を示す図面である。
【図１１Ａ】本発明のその他の実施形態による表示装置の変形に対応して、使用者へのインターフェイスを提供する動作を示す図面である。
【図１１Ｂ】本発明のその他の実施形態による表示装置の変形に対応して、使用者へのインターフェイスを提供する動作を示す図面である。
【図１１Ｃ】本発明のその他の実施形態による表示装置の変形に対応して、使用者へのインターフェイスを提供する動作を示す図面である。
【図１２Ａ】本発明のその他の実施形態による表示装置の変形に対応して、使用者へのインターフェイスを提供する動作を示す図面である。
【図１２Ｂ】本発明のその他の実施形態による表示装置の変形に対応して、使用者へのインターフェイスを提供する動作を示す図面である。
【発明を実施するための形態】
【００２３】
本発明は、複数の変更を加えられることができ、複数の形態を有することができるので、特定の実施形態を図面に例示し、詳細に説明する。しかし、本発明を、例示した特定の実施形態に限定しようとするものではなく、本発明の思想及び技術範囲に含まれる全ての変更、均等物〜代替物を含むものである。
【００２４】
各図面を用いた説明では、類似な参照符号を類似な構成要素に対して使用した。添付した図面において、構造物の寸法は本発明を明確に説明するために実際より拡大して示した。第１、第２等の用語は複数の構成要素を説明するために使用されているが、構成要素は用語によって限定されない。用語は１つの構成要素を他の構成要素から区別する目的のみに使用される。例えば、本発明の権利範囲を逸脱しない第１構成要素を、第２構成要素として命名することがあり、同様に第２構成要素を第１構成要素と命名することもあり得る。単数の表現は文脈の上に明確に限定しない限り、複数の表現を含む。
【００２５】
本出願で、“含む”又は“有する”等の用語は、明細書上に記載された特徴、数字、段階、動作、構成要素、部品又は各々を組み合わせたものを指定しようとする用語であり、１つ又は複数の特徴や数字、段階、動作、構成要素、部品又は各々を組み合わせたものの存在を予め排除しないこととして理解しなければならない。また、層、膜、領域、板等の部分が他の部分“上に”あるとする場合、他の部分の“直上に”ある場合のみでなく、層、膜、領域、板等の部分と他の部分の間に第３の物体がある場合も含む。反対に層、膜、領域、板等の部分が他の部分“下に”あるとする場合、他の部分の“直下に”ある場合のみでなく、層、膜、領域、板等の部分と他の部分の間に第３の物体がある場合も含む。以下では、添付した図面を参照することで、本発明の好適な実施形態をより詳細に説明する。
【００２６】
図１は、本発明の一実施形態による表示装置のブロック図である。
【００２７】
表示装置１０００は、表示パネル１１０、感知部１２０、制御部１３０、及びメモリ１４０を含む。
【００２８】
表示装置１０００が、例えば、フレキシブル表示装置だとすると、表示装置１０００は、外力によって変形することができる。より具体的に説明すると、表示装置１０００は、外力によってベンディング（Ｂｅｎｄｉｎｇ）、フォールディング（Ｆｏｌｄｉｎｇ）、ローリング（Ｒｏｌｌｉｎｇ）又はストレッチング（Ｓｔｒｅｔｃｈｉｎｇ）された状態になることができる。
【００２９】
以下、表示装置１０００が、一定のベンディング角度以下にベンディングされた状態になって、表示装置１０００の二つの領域が対向した状態を表示装置１０００がフォールディングされたと定義する。
【００３０】
表示装置１０００は、可撓性を有する物質及び構造を有する。特に、表示パネル１１０は、プラスチックのような可撓性を有する物質及び構造を有するため、外力によって変形した状態になることができる。
【００３１】
表示パネル１１０は、マトリックス状に配置される複数の画素（図示せず）を含む。画素の各々は、単位画像を表示する。表示パネル１１０に具備された画素の個数によって、フレキシブル表示パネルの解像度が決まる。表示パネル１１０は、画素を用いて、テキスト、ビデオ、写真、２次元又は３次元の画像等の任意の視覚情報を画像として表示する。
【００３２】
表示パネル１１０は、例えば、有機発光表示パネル（ｏｒｇａｎｉｃ  ｌｉｇｈｔ  ｅｍｉｔｔｉｎｇ  ｄｉｓｐｌａｙ  ｐａｎｅｌ）、液晶表示パネル（ｌｉｑｕｉｄ  ｃｒｙｓｔａｌ  ｄｉｓｐｌａｙ  ｐａｎｅｌ）、プラズマ表示パネル（ｐｌａｓｍａ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、及びエレクトロ・ウェッティング表示パネル（ｅｌｅｃｔｒｏｗｅｔｔｉｎｇ  ｄｉｓｐｌａｙ  ｐａｎｅｌ）等を含む。
【００３３】
また、表示パネル１１０は、タッチを感知できる表示パネルであってもよい。この場合、表示パネル１１０は、タッチスクリーンパネルを含む。タッチスクリーンパネルは、ハプティック及び／又は物理的接触に基づいて、使用者からの入力を感知するタッチ感知表面、センサ、又はセンサのセットを具備する。タッチスクリーンパネルは、表示パネル１１０上の接触及び接触の移動又は途切れを感知することで、タッチ情報を生成する。
【００３４】
感知部１２０は、変形感知部１２１、把持感知部１２２、視線感知部１２３を含む。
【００３５】
変形感知部１２１は、表示パネル１１０の変形を感知する。変形感知部１２１は、１つ、又は複数の種類のセンサを含む。センサは、例えば、圧力センサ、ストレインゲージセンサ（ｓｔｒａｉｎ  ｇａｕｇｅ  ｓｅｎｓｏｒ）等のように、表示装置１０００の変形によって、表示装置１０００で発生する圧力及びひずみ等を感知できるセンサを含む。また、センサは、例えば、ジャイロセンサ（ｇｙｒｏ  ｓｅｎｓｏｒ）、加速度センサ、地磁気センサ等のように、表示パネル１１０の変位又は回転等の動きを感知できるセンサを含む。また、センサは、例えば、近接センサ等を含む。センサは、表示装置１０００又は表示パネル１１０に複数個提供され、各センサが対応する物理量を感知できる。
【００３６】
変形感知部１２１は、センサを利用して、表示装置１０００の変形を感知し、変形情報を生成する。変形情報は、例えば、表示装置１０００の変形位置、変形領域、変形方向、変形角度、変形圧力、変形速度、変形回数、変形発生時点、変形維持時間等を含む。
【００３７】
例えば、使用者が表示パネル１１０をベンディングする場合、変形感知部１２１は、ベンディングを感知し、ベンディング情報を生成する。ベンディング情報は、例えば、ベンディング位置、ベンディング領域、ベンディング方向、ベンディング角度、ベンディング圧力、ベンディング速度、ベンディング回数、ベンディングの発生時点、ベンディングの維持時間等である。
【００３８】
また、変形感知部１２１は、ベンディング情報に基づいて、ベンディングによって形成されたベンディングライン及びベンディングラインの変更状態を検出する。具体的には、ひずみゲージセンサによって感知されるひずみの分布や、圧力センサによって感知される圧力の分布、及びひずみや圧力の分布の変化等に基づいて、変形感知部１２１はベンディングラインを認識する。ここで、ベンディングラインとは、ベンディングが発生した領域内で、ベンディングの程度が最も大きい地点を連結した仮想的なラインを指す。
【００３９】
把持感知部１２２は、使用者による把持を感知し、把持情報を生成する。例えば、使用者が表示装置１０００を使用するために、手で表示装置１０００を把持する場合、把持感知部１２２は、把持位置、把持領域、把持圧力、把持時点、及び／又は把持維持時間等を含む把持情報を生成する。
【００４０】
把持感知部１２２は、使用者による把持を感知するためのセンサによって具現されるだけでなく、例えば、タッチスクリーンパネルによって具現されてもよい。より具体的に説明すると、把持感知部１２２は、タッチスクリーンパネルが感知したハプティック及び／又は物理的接触に基づいて、把持情報を生成することができる。
【００４１】
視線感知部１２３は、使用者の視線を感知し、視線情報を生成する。例えば、使用者が表示装置１０００を用いて、映像等を視聴する場合、視線感知部１２３は、使用者の目の位置、視線の位置、及び／又は視線の方向等を含む視線情報を生成する。
【００４２】
例えば、視線感知部１２３を具現するために、顔のモデリング技術を利用してもよい。撮影部が撮影した顔の画像の加工処理及び伝送のためのデジタル情報に変換する技法として、ＡＳＭ（Ａｃｔｉｖｅ  Ｓｈａｐｅ  Ｍｏｄｅｌｉｎｇ）技法及びＡＡＭ（Ａｃｔｉｖｅ  Ａｐｐｅａｒａｎｃｅ  Ｍｏｄｅｌｉｎｇ）技法等が利用されてもよい。また、視線感知部１２３は、識別した眼球の画像を利用することで、眼球の動きを判断する。視線感知部１２３は、眼球の動きを利用することで、使用者が凝視する方向を検出し、表示パネル１１０の状態に関する情報と使用者が凝視する方向とを比較することによって、使用者が凝視する領域を判断する。
【００４３】
制御部１３０は、表示パネル１１０を制御する。制御部１３０は、外部から画像情報を受信し、画像情報を処理することで、画像情報に対応する画像が表示パネル１１０へ表示されるように、表示パネル１１０を制御する。
【００４４】
また、制御部１３０は、使用者が処理を入力するためのインターフェイスを表示パネル１１０へ表示し、使用者の入力に対応する命令にしたがって、使用者へ提供されるインターフェイスの動作を制御する。
【００４５】
本発明の一例として、制御部１３０は、感知部１２０で生成された変形情報、把持情報、及び視線情報に基づいて、表示パネル１１０及び表示装置１０００の変形、使用者による把持、及び使用者の視線を検出する。検出された表示パネル１１０及び表示装置１０００の変形、使用者による把持、及び使用者の視線に基づいて、制御部１３０は、表示パネル１１０へ表示される画像及び使用者が処理を入力するためのインターフェイスを動作及び制御する。
【００４６】
また、制御部１３０は、表示パネル１１０を通して生成されたタッチ情報に基づいて、使用者による表示パネル１１０へのタッチを検出する。制御部１３０は、検出された使用者のタッチを表示パネル１１０上に表示される使用者へのインターフェイスを構成する客体との相互作用として変換させる。
【００４７】
メモリ１４０は、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ−Ａｃｃｅｓｓ  Ｍｅｍｏｒｙ）、ＤＤＲ  ＲＡＭ（Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）又は他のランダムアクセス半導体メモリ装置等のランダムアクセスメモリを含み、１つ以上の磁気ディスク記憶装置、光ディスク記憶装置、フラッシュメモリ装置、又は他不揮発性半導体記憶装置不揮発性メモリを含む。メモリ１４０は、命令語のセット及び／又はデータ構造、表示装置１０００を駆動するためのソフトウェアプログラム、表示装置１０００で駆動されるアプリケーション等を保存する。
【００４８】
以下、説明を簡単にするために、表示パネル１１０、感知部１２０、制御部１３０、及びメモリ１４０の動作を表示装置１０００の動作と同一視して説明する。したがって、以下で説明する表示装置１０００の動作は、表示装置１０００を構成するいずれか１つの動作、又は複数の構成の動作間の相互作用によって実現する。
【００４９】
また、表示パネル１１０の変形は、表示装置１０００の変形と実質的に同一であるので、以下では、表示装置１０００の変形は、表示パネル１１０の変形と同一の意味として使用されることがある。
【００５０】
図２Ａ及び図２Ｂは、本発明の一実施形態による表示装置の変形に対応して、使用者へのインターフェイスを提供する動作を示す図面である。
【００５１】
図２Ａは、アンベンディングの状態である表示装置１０００を図示している。表示装置１０００は、アンベンディングの状態で客体を表示する。本発明の一例として、客体は、使用者へのインターフェイスを構成するイメージ及びアプリケーションの実行画面である。
【００５２】
使用者は、使用者へのインターフェイスを通じて、表示装置１０００と相互作用するか、或いは表示装置１０００で駆動するソフトウェアプログラムを制御することができる。使用者へのインターフェイスに表示される客体は、複数のアプリケーションに対応する複数のアイコンのソフトキー及び表示装置１０００の情報等を示すインジケータ（ｉｎｄｉｃａｔｏｒ）を含む。
【００５３】
本発明の一例として、アイコンは、例えば、天気アイコン２０１、カメラアイコン２０２、音楽アイコン２０３、メールアイコン２０４、時計アイコン２０５、写真アイコン２０６等を含む。インジケータは、例えば、表示装置１０００の表示パネルの上側に表示され、時刻のインジケータ、電波の受信感度のインジケータ、及びバッテリー残量のインジケータ等を含む。
【００５４】
図２Ｂに示すように、本発明の一例として、表示装置１０００は、使用者によって第１ベンディングラインＢＬ１１を基準にベンディングされる。この場合、表示装置１０００には、第１ベンディングラインＢＬ１１の両側に第１領域Ａ１１及び第２領域Ａ２１が定義される。
【００５５】
表示装置１０００がベンディングされる場合、表示装置１０００は、ベンディングを感知して、ベンディングに対するベンディング情報を生成し、ベンディング情報に基づいて、ベンディングを検出する。表示装置１０００は、検出されたベンディングに基づいて、第１ベンディングラインＢＬ１１を検出し、第１及び第２領域Ａ１１、Ａ２１を区画する。
【００５６】
表示装置１０００は、アイコンをベンディングに基づいて、区分する。本発明の一例として、第１ベンディングラインＢＬ１１を基準に左側にある天気アイコン２０１、カメラアイコン２０２、及び音楽アイコン２０３は、第１客体０１１として区分し、第１ベンディングラインＢＬ１１を基準に右側にあるメールアイコン２０４、時計アイコン２０５、写真アイコン２０６は、第２客体０２１として区分する。
【００５７】
表示装置１０００は、第１及び第２客体０１１、０２１を移動させる。より具体的に説明すると、表示装置１０００は、第１客体０１１を第１方向Ｄ１へ移動させ、第２客体０２１を第２方向Ｄ２へ移動させる。
【００５８】
ここで、第１及び第２方向Ｄ１、Ｄ２は、表示装置１０００上に定義される。第１方向Ｄ１は、第１客体０１１を基準に第１ベンディングラインＢＬ１１の反対方向であり、第２方向Ｄ２は、第２客体０２１を基準に第１ベンディングラインＢＬ１１の反対方向である。第１及び第２客体０１１、０２１が第１及び第２方向Ｄ１、Ｄ２に各々移動する場合、第１及び第２客体０１１、０２１は、互いに遠くなる。
【００５９】
しかし、第１及び第２客体０１１、０２１は、第１及び第２方向Ｄ１、Ｄ２と逆方向に各々移動してもよい。この場合、第１及び第２客体０１１、０２１は、互いに近くなる。
【００６０】
表示装置１０００は、ベンディング角度θｂ１１に基づいて、第１及び第２客体０１１、０２１の各々が移動する速度を決定する。例えば、ベンディング角度θｂ１１が設定値より小さい場合、第１及び第２客体０１１、０２１の各々が移動する速度は、ベンディング角度θｂ１１が設定値より大きい場合の第１及び第２客体０１１、０２１の各々が移動する速度より大きい。
【００６１】
また、表示装置１０００は、ベンディング角度θｂ１１に基づいて、第１及び第２客体０１１、０２１の各々が移動する距離を決定する。例えば、ベンディング角度θｂ１１が設定値より小さい場合の第１及び第２客体０１１、０２１の各々が移動する距離は、ベンディング角度θｂ１１が設定値より大きい場合の第１及び第２客体０１１、０２１の各々が移動する距離より大きい。
【００６２】
図示されてはいないが、表示装置１０００がベンディングされた後、再びアンベンディングされれば、表示装置１０００は、アンベンディングを検出した後、アンベンディングにしたがって、第１及び第２客体０１１、０２１をベンディングする前の元の位置に復帰させる。
【００６３】
本発明の一例として、第１及び第２客体０１１、０２１が各々の元の位置に復帰する時の移動速度は、第１及び第２客体０１１、０２１がベンディングにしたがって、各々第１及び第２方向Ｄ１、Ｄ２に移動する時の速度より遅い。使用者は、表示装置１０００をベンディング及びアンベンディングすることで、第１及び第２客体０１１、０２１の位置を調節できるので、表示装置１０００の使用性及び便宜性を改善できる。
【００６４】
図３は、本発明の他の実施形態による表示装置の変形に対応して、使用者へのインターフェイスを提供する動作を示す図面である。
【００６５】
図３に示すように、使用者が表示装置１０００を把持すれば、表示装置１０００は、使用者による把持を感知して、把持に対する把持情報を生成し、把持情報に基づいて、把持を検出する。例えば、検出された把持情報に基づいて、表示装置１０００上に第１把持領域ＨＡ１及び第２把持領域ＨＡ２を定義する。
【００６６】
第１把持領域ＨＡ１は、使用者が左手で把持している領域に対応する領域であり、第２把持領域ＨＡ２は、使用者が右手で把持している領域に対応する領域である。例えば、第１及び第２把持領域ＨＡ１、ＨＡ２は、各々第１及び第２領域Ａ１１、Ａ２１内に配置されてもよい。
【００６７】
本発明の一実施形態として、表示装置１０００は、表示装置１０００が第１ベンディングラインＢＬ１１を基準にベンディングされる場合、第１客体０１１を第１把持領域ＨＡ１に移動させ、第２客体０２１を第２把持領域ＨＡ２に移動させる。
【００６８】
このように、使用者は、タッチにより選択し難い客体を、表示装置１０００をベンディングすることでタッチしやすい領域（把持している領域に対応する領域）に移動させて、容易に客体を選択できる点で表示装置１０００の便宜性及び使用性が向上したといえる。
【００６９】
図４Ａ及び図４Ｂは、本発明のその他の実施形態による表示装置の変形に対応して、使用者へのインターフェイスを提供する動作を示す図面である。
【００７０】
図４Ａに示すように表示装置１０００は、第１領域Ａ１２に天気、カメラ、音楽、メール、時計、及び写真アイコン２０１〜２０６を表示する。本発明の一例として、第１領域Ａ１２は、表示装置１０００の左側に定義される第２領域Ａ２２及び表示装置１０００の右側に定義される第３領域Ａ３２の間に定義される。
【００７１】
図４Ｂに示すように、表示装置１０００がベンディングされれば、表示装置１０００は、ベンディングを検出し、ベンディングに基づいて、表示されている画像及び／又は客体をスクロールさせる。
【００７２】
より具体的に説明すると、アンベンディング状態で第１領域Ａ１２に表示されていた天気、カメラ、音楽アイコン２０１〜２０３は、表示装置１０００がベンディングされると、第２領域Ａ２２の第１方向Ｄ１へスクロールされて画面外へ消え、画面へ表示されない。
【００７３】
また、アンベンディング状態では、第１領域Ａ１２に表示されていたメール、時計、写真アイコン２０４〜２０６は、表示装置１０００がベンディングされると、第１方向Ｄ１へ移動し、第２領域Ａ２２に表示される。
【００７４】
アンベンディング状態では、画面へ表示されなかったカレンダーアイコン２０７、検索アイコン２０８、及びメモアイコン２０９等は、表示装置１０００がベンディングされると、第２方向Ｄ２に対して逆方向へ移動し、第３領域Ａ３２に表示される。
【００７５】
本実施形態は、アイコンをスクロールすることに限定されない。例えば、写真アプリケーションを使用する場合、表示される複数の写真の中から特定の写真を探索するために、写真をスクロールできてもよい。
【００７６】
表示装置１０００は、ベンディング角度θｂ１２に基づいて、アイコン２０１〜２０９がスクロールする速度を決定する。例えば、ベンディング角度θｂ１２が設定値より小さい場合、アイコン２０１〜２０９が移動する速度は、ベンディング角度θｂ１２が設定値より大きい場合のアイコン２０１〜２０９が移動する速度より大きくてもよい。
【００７７】
図５Ａ〜図５Ｃは、本発明のその他の実施形態による表示装置の変形に対応して、使用者へのインターフェイスを提供する動作を示す図面である。
【００７８】
図５Ａ及び図５Ｂに示すように、表示装置１０００は、第１アイコンの配置領域ＩＡ１に天気、時計、及び音楽アイコン２０１〜２０３を表示し、第２アイコンの配置領域ＩＡ２にメール、時計、及び写真アイコン２０４〜２０６を表示する。
【００７９】
表示装置１０００は、使用者がメールアイコン２０４を選択する第１タッチ入力を感知することで、使用者がメールアイコン２０４を選択したことを検出する。
【００８０】
使用者が第１タッチ入力を入力している状態で使用者が表示装置１０００を第１ベンディングすると、表示装置１０００は、第１ベンディングを検出し、第１ベンディングに基づいて、メールアイコン２０４に対応するメールアプリケーションの実行命令が入力されたか否かを判断する。表示装置１０００が、メールアプリケーションの実行命令が入力されたと判断する場合、表示装置１０００は、メールアプリケーションを実行するように第１制御信号を生成し、第１制御信号にしたがって、メールアプリケーションを実行する。
【００８１】
本発明の一例として、表示装置１０００は、第１ベンディングのベンディング位置、ベンディング領域、ベンディング方向、ベンディング角度、ベンディング圧力、ベンディング速度、ベンディング回数、ベンディング発生時点、ベンディング維持時間等に基づいて、メールアプリケーションの実行命令が入力されたか否かを判断し、第１制御信号を生成する。
【００８２】
例えば、第１ベンディングのベンディング維持時間が１秒以内であり、再びアンベンディングする動作（以下、フリーキング（flicking））が行われるか、或いは第１ベンディングの第１ベンディング角度θｂ１３が規定値以上である場合、表示装置１０００は、メールアプリケーションの実行命令が入力されたと判断し、第１制御信号を生成する。
【００８３】
また、表示装置１０００は、第１ベンディング角度θｂ１３に加えて、第１及び第２アイコンの配置領域ＩＡ１、ＩＡ２の第１及び第２動作を各々感知し、第１及び第２動作に基づいて、メールアプリケーションの実行命令が入力されたか否かを判断して、第１制御信号を生成することができる。
【００８４】
例えば、第１アイコンの配置領域ＩＡ１が固定されることで、第１動作が検出されない状態で、第２動作が、第１ベンディング角度θｂ１３を小さくする第２アイコンの配置領域ＩＡ２の動作である場合、表示装置１０００は、メールアプリケーションの実行命令が入力されたと判断し、第１制御信号を生成する。本発明の実施形態で、第２動作は、第２アイコンの配置領域ＩＡ２を第１ベンディングラインＢＬ１２を回転軸として左回りに回転させる動きに対応する。
【００８５】
また、第２アイコンの配置領域ＩＡ２が固定されることで、第２動作が検出されない状態で、第１動作は、第１ベンディング角度θｂ１３を小さくする第１アイコンの配置領域ＩＡ１の動作である場合、表示装置１０００は、メールアプリケーションの実行命令が入力されたと判断し、第１制御信号を生成することもできる。この実施形態で、第１動作は、第１アイコンの配置領域ＩＡ１を第１ベンディングラインＢＬ１２を回転軸として所定の角度くらい右回りに回転させる動きに対応する。
【００８６】
表示装置１０００がベンディングされる場合、表示装置１０００は、ベンディング情報に基づいて、第１ベンディングラインＢＬ１２を検出し、第２アイコンの配置領域ＩＡ２と区別される実行領域ＥＡを区画する。本発明の一例として、実行領域ＥＡは、第１ベンディングラインＢＬ１２を基準に左側に区画され、第２アイコンの配置領域ＩＡ２は、第１ベンディングラインＢＬ１２を基準に右側に区画される。
【００８７】
本発明の一例として、表示装置１０００は、メールアプリケーションの実行画面ＥＳを実行領域ＥＡに表示する。使用者は、アプリケーションの実行及び実行されるアプリケーションの実行画面が表示される領域を、表示装置１０００をベンディング動作によって決定することができ、表示装置１０００の使用性は向上することができる。
【００８８】
また、表示装置１０００は、実行領域ＥＡが第１アイコンの配置領域ＩＡ１（図５Ａに図示される）とオーバーラップする場合、第１アイコンの配置領域ＩＡ１に表示されていた天気、カメラ、音楽アイコン２０１〜２０３を実行領域ＥＡとオーバーラップしない第２アイコンの配置領域ＩＡ２に移動させて表示してもよい。
【００８９】
図５Ｃに示すように、表示装置１０００は、使用者による選択入力を検出し、選択入力に応じてアプリケーションの実行画面ＥＳを活性化させる。選択入力は、例えば、使用者がメールアイコン２０４を選択する時に入力される第２タッチ入力である。
【００９０】
また、表示装置１０００は、使用者が入力するベンディング活性化の入力を感知し、ベンディング活性化の入力に応じてメールアプリケーションの実行画面ＥＳの大きさを調節する。ベンディング活性化の入力は、例えば、メールアイコン２０４に対するタッチを維持する動作等である。
【００９１】
使用者がメールアイコン２０４に対するタッチを維持し、ベンディング活性化の入力を入力する間、使用者が表示装置１０００を第２ベンディングすると、表示装置１０００は、第２ベンディングを検出した後、第２ベンディングに基づいて、メールアプリケーションの実行画面ＥＳの大きさを調節する実行命令が入力されたか否かを判断する。第２ベンディングは、表示装置１０００が第２ベンディングラインＢＬ２１を基準にベンディングされる。
【００９２】
表示装置１０００が、メールアプリケーションの実行画面ＥＳの大きさを調節する実行命令が入力されたと判断した場合、表示装置１０００は、メールアプリケーションの実行画面ＥＳの大きさを調節するように第２制御信号を生成する。生成された第２制御信号にしたがって、メールアプリケーションの実行画面ＥＡの大きさは調節される。
【００９３】
表示装置１０００は、ベンディング活性化の入力によって、メールアプリケーションの実行画面ＥＳを制御するためのベンディングとそうでないベンディングとを区分する。したがって、使用者は、メールアプリケーションの実行画面ＥＡを制御するためのベンディングをそうでないベンディングと区分して表示装置１０００に入力することで、目的に応じた操作ができる。
【００９４】
本発明の一例として、表示装置１０００は、第２アイコンの配置領域ＩＡ２及び実行領域ＥＡがなす第２ベンディング角度θｂ２１が大きくなる場合、メールアプリケーションの実行画面ＥＳを大きくできる。
【００９５】
例えば、表示装置１０００は、ベンディング活性化の入力を印加した時点でのベンディング角度より第２ベンディング角度θｂ２１の方が大きい場合、メールアプリケーションの実行画面ＥＳを大きくできる。
【００９６】
表示装置１０００は、メールアプリケーションの実行画面ＥＳと第２アイコンの配置領域ＩＡ２とがオーバーラップするように、メールアプリケーションの実行画面ＥＳを拡張させることもできる。この場合、表示装置１０００は、第２アイコンの配置領域ＩＡ２に配置されていたアイコンを再配置するか、或いは一部のアイコンを表示しないこともできる。例えば、表示装置１０００は、第２ベンディングの前に、第１アイコンの配置領域ＩＡ１に表示されていたカメラアイコン２０２及び音楽アイコン２０３を表示せずに、メール、時計、写真、及び天気アイコン２０４、２０５、２０６、２０１を第２アイコンの配置領域ＩＡ２の中で、拡張されたメールアプリケーションの実行画面ＥＳとオーバーラップされない領域に再配列させることができる。
【００９７】
また、表示装置１０００は、第２アイコンの配置領域ＩＡ２及び実行領域ＥＡがなす第２ベンディング角度θｂ２１が小さくなる場合、メールアプリケーションの実行画面ＥＡを縮小させることもできる。例えば、表示装置１０００は、ベンディング活性化の入力を印加する時点でのベンディング角度より第２ベンディング角度θｂ２１の方が小さい場合、メールアプリケーションの実行画面ＥＳを縮小させることができる。
【００９８】
また、第２ベンディング角度θｂ２１に加えて、表示装置１０００は、第２アイコンの配置領域ＩＡ２及び実行領域ＥＡの第３及び第４動作を各々検出し、第３及び第４動作に基づいて、メールアプリケーションの実行画面ＥＳを縮小するか、或いは拡張することができる。
【００９９】
例えば、実行領域ＥＡが固定されることで、第４動作が検出されない状態で、第３動作が第２ベンディング角度θｂ２１を大きくする第２アイコンの配置領域ＩＡ２の動作である場合、表示装置１０００は、メールアプリケーションの実行画面ＥＳを拡張できる。この実施形態で、第３動作は、第２アイコンの配置領域ＩＡ２が、第２ベンディングラインＢＬ２１を回転軸として左回りに回転する動きに対応する。
【０１００】
特に、表示装置１０００は、メールアプリケーションの実行画面ＥＳを第３動作に対応する方向に拡張させる。より具体的に説明すると、メールアプリケーションの実行画面ＥＳの辺のうち、第２アイコンの配置領域ＩＡ２に隣接する第１辺Ｓ１１を第２方向Ｄ２へ移動させて、メールアプリケーションの実行画面ＥＳを第２方向Ｄ２へ拡張させることができる。
【０１０１】
このように、使用者が、表示装置１０００をベンディングすることで、アプリケーションの実行画面を拡張及び縮小させることができる点で、表示装置１０００の便宜性及び使用性が向上したといえる。
【０１０２】
図６Ａ及び図６Ｂは、本発明のその他の実施形態による表示装置の変形に対応して、使用者へのインターフェイスを提供する動作を示す図面である。
【０１０３】
図６Ａ及び図６Ｂに図示された実施形態は、メールアプリケーションの実行画面ＥＳの拡張態樣を除ければ、図５Ｃで説明した実施形態と同一であるので、重複する説明を省略する。
【０１０４】
図６Ａ及び図６Ｂに示すように、表示装置１０００は、第１ベンディングラインＢＬ１３を基準にベンディングされ、表示装置１０００には、第１ベンディングラインＢＬ１３の両側に第１領域Ａ１３及び第２領域Ａ２３が定義される。
【０１０５】
図６Ａに示すように、本発明の一例として、第１及び第２領域Ａ１３、Ａ２３に掛けてメールアプリケーションの実行画面ＥＳが表示される。
【０１０６】
図６Ｂに示すように、表示装置１０００がベンディングされると、表示装置１０００は、第１領域Ａ１３及び第２領域Ａ２３の第５及び第６動作を各々感知し、第５及び第６動作に基づいて、メールアプリケーションの実行画面ＥＳを縮小させるか、或いは拡張させることができる。
【０１０７】
例えば、第５及び第６動作が、第１及び第２領域Ａ１３、Ａ２３がなすベンディング角度θｂ１４を大きくする場合、表示装置１０００は、メールアプリケーションの実行画面ＥＳを両側に拡張させることができる。
【０１０８】
この実施形態で、第５及び第６動作は、第１及び第２領域Ａ１３、Ａ２３を第１ベンディングラインＢＬ１３を回転軸として右回り及び左回りに回転させる動きに各々対応する。
【０１０９】
表示装置１０００は、メールアプリケーションの実行画面ＥＳを第５及び第６動作に対応する方向に拡張させることができる。より具体的に説明すると、メールアプリケーションの実行画面ＥＳの辺のうち、第１領域Ａ１３に提供される第１辺Ｓ１２を第１方向Ｄ１へ移動させ、第２領域Ａ２３に提供される第２辺Ｓ２２を第２方向Ｄ２へ移動させることで、メールアプリケーションの実行画面ＥＳを拡張させることができる。
【０１１０】
図７Ａ及び図７Ｂは、本発明のその他の実施形態による表示装置の変形に対応して、使用者へのインターフェイスを提供する動作を示す図面である。
【０１１１】
図７Ａ及び図７Ｂに図示された実施形態は、メールアプリケーションの実行画面の拡張態樣を除ければ、図５Ｃで説明した実施形態と同一であるので、重複する説明を省略する。
【０１１２】
本発明の一例として、選択入力は、使用者がメールアプリケーションの実行画面ＥＳをタッチする動作であり、またベンディング活性化の入力は、表示装置１０００に具備される機能ボタンＦＢを押す動作に対応する。
【０１１３】
本発明の一例として、機能ボタンＦＢは、例えば、表示装置１０００のハウジングから突出するように提供されてもよい。
【０１１４】
使用者が、メールアプリケーションの実行画面ＥＳをタッチすることで、メールアプリケーションの実行画面ＥＳを活性化させた後、使用者が機能ボタンＦＢを押した状態で、使用者が表示装置１０００を第２ベンディングすると、表示装置１０００は、第２ベンディングを検出した後、第２ベンディングに基づいて、メールアプリケーションの実行画面ＥＳの大きさを調節する実行命令が入力されたか否かを判断する。
【０１１５】
表示装置１０００が、メールアプリケーションの実行画面ＥＡの大きさを調節する実行命令が入力されたと判断した場合、表示装置１０００は、メールアプリケーションの実行画面ＥＳの大きさを調節するように第２制御信号を生成する。生成された第２制御信号にしたがってメールアプリケーションの実行画面ＥＳの大きさは調節される。
【０１１６】
表示装置１０００が、メールアプリケーションの実行画面ＥＳの大きさを調節する実行命令が入力されたと判断した場合、表示装置１０００は、メールアプリケーションの実行画面ＥＳの大きさを調節するように第２制御信号を生成する。生成された第２制御信号にしたがってメールアプリケーションの実行画面ＥＳの大きさは調節される。
【０１１７】
より具体的に説明すると、メールアプリケーションの実行画面ＥＳの辺のうち、第２アイコンの配置領域ＩＡ２に隣接する第１辺Ｓ１３を第２方向Ｄ２側へ移動させることで、メールアプリケーションの実行画面ＥＳを第２方向Ｄ２へ拡張させることができる。
【０１１８】
図８Ａ及び図８Ｂは、本発明のその他の実施形態による表示装置の変形に対応して、使用者へのインターフェイスを提供する動作を示す図面である。
【０１１９】
本発明の一例として、図８Ａに示したように、表示装置１０００は、実行領域ＥＡにメールアプリケーションの実行画面ＥＳを表示し、第２アイコンの配置領域ＩＡ２にアイコン２０１〜２０６を表示する。
【０１２０】
使用者が、表示装置１０００を第３ベンディングすると、第３ベンディングを検出した後、第３ベンディングに基づいて、実行領域ＥＡに表示された客体、即ちメールアプリケーションの実行画面ＥＳを第２アイコンの配置領域ＩＡ２に移動させて表示するように命令が入力されたか否かを、表示装置１０００が判断する。
【０１２１】
図８Ｂに示すように、メールアプリケーションの実行画面ＥＳを第２アイコンの配置領域ＩＡ２に移動させて表示するように命令が入力されたと、表示装置１０００が判断する場合、表示装置１０００は、メールアプリケーションの実行画面ＥＳを第２アイコンの配置領域ＩＡ２に移動させて表示するように第３制御信号を生成する。生成された第３制御信号にしたがって、メールアプリケーションの実行画面ＥＳは、第２アイコンの配置領域ＩＡ２に移動させて表示される。
【０１２２】
また、表示装置１０００は、第２アイコンの配置領域ＩＡ２に表示されているアイコン２０１〜２０６が、メールアプリケーションの実行画面ＥＳとオーバーラップしないように、アイコン２０１〜２０６を実行領域ＥＡに移動させて表示する。
【０１２３】
本発明の一例として、メールアプリケーションの実行画面ＥＳが活性化された状態で、第３ベンディングが、ベンディング角度を小さくするフリーキングに対応するか、或いは第３ベンディングのベンディング角度が、設定値以上である場合、表示装置１０００は、メールアプリケーションの実行画面ＥＳを第２アイコンの配置領域ＩＡ２に移動させて表示するように命令が入力されたと判断する。
【０１２４】
また、第３ベンディングによってできた第３ベンディングラインＢＬ３が、実行領域ＥＡ及び第２アイコンの配置領域ＩＡ２の境界に沿って定義される場合、表示装置１０００は、メールアプリケーションの実行画面ＥＳを第２アイコンの配置領域ＩＡ２に移動させて表示するように命令が入力されたと判断する。
【０１２５】
また、表示装置１０００は、第２アイコンの配置領域ＩＡ２及び実行領域ＥＡの第７及び第８動作を各々検出し、第７及び第８動作に基づいて、メールアプリケーションの実行画面ＥＳを第２アイコンの配置領域ＩＡ２に移動させて表示するような命令が入力されたと判断することができる。
【０１２６】
例えば、第２アイコンの配置領域ＩＡ２が固定されることで、第７動作が検出されない状態で、第８動作が、ベンディング角度を小さくする実行領域ＥＡの動きである場合、メールアプリケーションの実行画面ＥＳを第２アイコンの配置領域ＩＡ２に移動させて表示するような命令が入力されたと、表示装置１０００が判断することができる。この実施形態で、第８動作は、実行領域ＥＡを第３ベンディングラインＢＬ３を回転軸として左回りに回転させる動きに対応する。
【０１２７】
このように、使用者が、表示装置１０００をベンディングすることで、アプリケーションの実行画面を、ベンディングラインを基準に移動させることができる点で、表示装置１０００の使用性及び便宜性が向上したといえる。
【０１２８】
図９Ａ〜図９Ｃは、本発明のその他の実施形態による表示装置の変形に対応して、使用者へのインターフェイスを提供する動作を示す図面である。
【０１２９】
本発明の一例として、図９Ａに示したように、表示装置１０００は、第１領域Ａ１４に天気、カメラ、及び音楽アイコン２０１〜２０３を表示し、第３領域Ａ３４にメール、時計、及び写真アイコン２０４〜２０６を表示する。
【０１３０】
図９Ｂに示すように、表示装置１０００がベンディングされる場合、表示装置１０００は、ベンディングを感知し、ベンディングを検出する。表示装置１０００は、ベンディングに基づいて、表示装置１０００上に視認領域ＶＡ１及び非視認領域ＮＶＡ１を区画する。
【０１３１】
視認領域ＶＡ１は、使用者に視認されている領域であり、非視認領域ＮＶＡ１は、使用者に視認されていない領域である。視認領域ＶＡ１及び非視認領域ＮＶＡ１は、使用者の視線ＵＶ及びベンディングにしたがって変わる。
【０１３２】
より具体的に説明すると、使用者が表示装置１０００をベンディングする場合、ベンディング角度が所定の角度以下の場合には、第２領域Ａ２４のみ使用者に視認されており、図９Ａに図示された第１及び第３領域Ａ１４、Ａ３４は、使用者に視認されていない。ここで、使用者に視認されている第２領域Ａ２４は、視認領域ＶＡ１として定義されることができ、使用者に視認されていない第１及び第３領域Ａ１４、Ａ３４は、非視認領域ＮＶＡ１として定義される。
【０１３３】
表示装置１０００は、電力消費を減少させるために、使用者に視認されていない非視認領域ＮＶＡ１を節電モードで駆動する。本発明の一例として、節電モードで駆動すると、表示装置１０００は、非視認領域ＮＶＡ１にブラック階調の画像を表示させることによって、非視認領域ＮＶＡ１で消費される電力を減少させることができる。また、表示装置１０００は、節電モードで、非視認領域ＮＶＡ１及び／又は非視認領域ＮＶＡ１を駆動する表示装置１０００の構成に提供される電源を遮断させることができる。また、表示装置１０００は、節電モードで非視認領域ＮＶＡ１に表示される画像の階調をダウンさせて表示してもよい。
【０１３４】
表示装置１０００は、第１及び第３領域Ａ１４、Ａ３４に表示されていた、アイコン２０１〜２０６をベンディング後の視認領域ＶＡ１に再配置することで、アイコン２０１〜２０６を視認領域ＶＡ１に表示してもよい。
【０１３５】
また、表示装置１０００は、ベンディングする前に表示されていた客体を、視認領域ＶＡ１に合わせるように処理して、視認領域ＶＡ１に表示することができる。例えば、表示装置１０００は、ベンディングする前に表示されていたアプリケーションの画面の大きさを視認領域ＶＡ１の大きさに合わせるように調節して視認領域ＶＡ１に移動させて表示することができる。
【０１３６】
一方、前述したように、視認領域ＶＡ１及び非視認領域ＮＶＡ１は、使用者の位置による使用者の視線ＵＶによって変わる。
【０１３７】
表示装置１０００は、このような視認及び非視認領域ＶＡ１、ＮＶＡ１の変化を追跡するために使用者の視線ＵＶを感知して視線情報を生成する。表示装置１０００は、生成した視線情報に基づいて、使用者の視線ＵＶを検出した後、ベンディング情報のみでなく、使用者の視線ＵＶに基づいて、表示装置１０００上に視認領域ＶＡ１及び非視認領域ＮＶＡ１を区画することができる。
【０１３８】
表示装置１０００は、ベンディングの前に、第１及び第３領域Ａ１４、Ａ３４に表示されていたアイコン２０１〜２０６をベンディングした後、視認領域ＶＡ１に該当される第２領域Ａ２４に移動させて表示する。
【０１３９】
また、表示装置１０００は、ベンディングの前に、第１〜第３領域Ａ１４、Ａ２４、Ａ３４領域に掛けて表示されていた画像を、ベンディングした後、視認領域ＶＡ１に合わせるように縮小し、縮小後の画像を視認領域ＶＡ１に表示してもよい。
【０１４０】
表示装置１０００は、表示装置１０００がフォールディングしている状態であると判断し、表示装置１０００がフォールディングしている状態でベンディング角度θｂ３が予め設定されたオフ角度より小さいと判断される場合、図９Ｃに示したように、表示パネル１１０（図１に図示される）はターンオフされる。
【０１４１】
表示装置１０００は、例えば、ベンディング角度が所定の角度より小さく、継続的に小さくなる場合、表示装置１０００がフォールディングしている状態であると判断する。
【０１４２】
図１０Ａ及び図１０Ｂは、本発明のその他の実施形態による表示装置の変形に対応して、使用者へのインターフェイスを提供する動作を示す図面である。
【０１４３】
図１０Ａに示すように、表示装置１０００がフォールディング状態にある場合、表示装置１０００は、フォールディングを検出することで、表示装置１０００がフォールディング状態にあることを判断できる。表示装置１０００の表示パネル１１０（図１に図示される）は、フォールディング状態では、ターンオフされている。
【０１４４】
表示装置１０００がフォールディングした状態からアンフォールディングする場合、表示装置１０００は、ベンディングに基づいて、表示装置１０００がアンフォールディングしている状態であると判断する。表示装置１０００は、例えば、フォールディングした状態でベンディング角度θｂ４が継続的に大きくなる場合、表示装置１０００がアンフォールディング中であると判断できる。
【０１４５】
表示装置１０００は、ベンディング角度θｂ４が予め設定されたターンオン角度より大きい場合、表示パネル１１０をターンオンさせる。
【０１４６】
本発明の一例として、ターンオン角度は、ターンオフ角度より小さい。これは、使用者が表示装置１０００を使用しないので、表示装置１０００をフォールディングする場合、表示パネル１１０を早期にターンオフさせることにより、消費電力を減らすためである。さらに、使用者が表示装置１０００を使用するために、表示装置１０００をアンフォールディングする場合、表示パネル１１０を早期にターンオンさせることにより、すぐに使用者に画像を視聴できるようにするためでもある。
【０１４７】
図１１Ａ〜図１１Ｃは、本発明のその他の実施形態による表示装置の変形に対応して、使用者へのインターフェイスを提供する動作を示す図面である。
【０１４８】
図１１Ａに示すように、表示装置１０００は、アンベンディングした状態で、第１〜第３領域Ａ１５、Ａ２５、Ａ３５にメールアプリケーションの実行画面ＥＳを表示する。
【０１４９】
本発明の一例として、第１〜第３領域Ａ１５、Ａ２５、Ａ３５は、表示装置１０００の長辺方向に沿って順次的に定義される。
【０１５０】
本発明の一例として、第１ベンディングラインＢＬ１４は、第１及び第２領域Ａ１５、Ａ２５の間に定義され、第２ベンディングラインＢＬ２４は、第２及び第３領域Ａ２５、Ａ３５の間に定義される。表示装置１０００がベンディングされる場合、表示装置１０００は、第１及び第２ベンディングラインＢＬ１４、ＢＬ２４を基準にツーフォールディングされる。
【０１５１】
例えば、図１１Ｂに示すように、第１及び第２領域Ａ１５、Ａ２５がなす第１ベンディング角度θｂ１５は、第２及び第３領域Ａ２５、Ａ３５がなす第２ベンディング角度θｂ２５より小さい。この場合、第１及び第２領域Ａ１５、Ａ２５は、互いに対向し、重なって外部に露出されない一方で、第３領域Ａ３５は、外部に露出される。このようにフォールディングされる形態をｓ型ツーフォールディングと称する。
【０１５２】
表示装置１０００がｓ型ツーフォールディングされる場合、表示装置１０００は、第１及び第２ベンディング角度θｂ１５、θｂ２５に基づいて、視認領域ＶＡ２及び非視認領域ＮＶＡ２を区画する。第１及び第２領域Ａ１５、Ａ２５は、使用者によって視認されていない一方で、第３領域Ａ３５は、視認されているので、表示装置１０００は、第１及び第２領域Ａ１５、Ａ２５は非視認領域ＮＶＡ２に包含され、第３領域Ａ３４は視認領域ＶＡ２に包含される。
【０１５３】
その結果、非視認領域ＮＶＡ２は、節電モードに駆動し、ベンディングの前に実行されていたメールアプリケーションの実行画面ＥＳは、視認領域ＶＡ２に合うように大きさが調節され、視認領域ＶＡ２に表示され得る。
【０１５４】
一方、図１１Ｃに示すように、第１及び第２ベンディング角度θ１５、θ２５が変わることによって、表示装置１０００は、メールアプリケーションの実行画面ＥＳを再び移動させて表示することができる。
【０１５５】
より具体的に説明すると、第１ベンディング角度θｂ１５が第２ベンディング角度θｂ２５より大きくなるように、表示装置１０００がｓ型ツーフォールディングされる場合、第３領域Ａ３５は、使用者によって視認されていない一方で、第１及び第２領域Ａ１５、Ａ２５は視認されているので、第３領域Ａ３５は非視認領域ＮＶＡ３に包含され、第１及び第２領域Ａ１５、Ａ２５は視認領域ＶＡ３に包含される。
【０１５６】
その結果、非視認領域ＮＶＡ３は、節電モードに駆動し、ベンディングの前に、視認領域ＶＡ２で実行されていたメールアプリケーションの実行画面ＥＳは、視認領域ＶＡ３に合うように大きさが調節され、視認領域ＶＡ３に表示され得る。
【０１５７】
図１２Ａ及び図１２Ｂは、本発明のその他の実施形態による表示装置の変形に対応して、使用者へのインターフェイスを提供する動作を示す図面である。
【０１５８】
図１２Ａ及び図１２Ｂの表示装置１０００は、図１１Ａ〜図１１Ｃを通じて説明した表示装置１０００と、フォールディングする態樣を除外して同一であるので、重複する説明を省略する。
【０１５９】
図１２Ａ及び図１２Ｂに示すように、表示装置１０００は、ｅ型ツーフォールディングされる。表示装置１０００がｅ型ツーフォールディングされる場合は、図１１に図示された、第１領域Ａ１５／第２領域Ａ２５／第３領域Ａ３５順に積層されるようにフォールディングされる。
【０１６０】
表示装置１０００がｅ型ツーフォールディングでフォールディング状態にある場合、表示装置１０００は、ｅ型ツーフォールディングを検出することで、表示装置１０００がｅ型ツーフォールディング状態にあることを判断する。表示装置１０００の表示パネル１１０（図１に図示される）は、フォールディング状態では、ターンオフされる。
【０１６１】
表示装置１０００を、ｅ型ツーフォールディング状態からアンフォールディングする場合、表示装置１０００は、第１及び第２ベンディング角度θｂ１５、θｂ２５に基づいて、第１〜第３領域Ａ１５、Ａ２５、Ａ３５の中いずれか１つに視認領域ＶＡ４を区画し、視認領域ＶＡ４に客体を表示させる。
【０１６２】
本発明の一例として、第１ベンディング角度θｂ１５より第２ベンディング角度θｂ２５が大きいので、表示装置１０００は、第３領域Ａ３５を視認領域ＶＡ４に包含させて、第３領域Ａ３５にメールアプリケーションの実行画面ＥＳを表示させる。
【０１６３】
以上では、本発明の実施形態を説明したが、本発明が属する技術分野で通常の知識を有する者は、本発明の技術的思想及び技術領域から逸脱しない範囲内で本発明を修正及び変形できることは、理解できる。
【０１６４】
したがって、本発明の技術的範囲は、明細書の詳細な説明に記載された内容に限定されることなく、特許請求の範囲によって定められなければならない。
【符号の説明】
【０１６５】
１２１    変形感知部
１２２    把持感知部
１２３    視線感知部
１３０    制御部
１１０    表示パネル
１４０    メモリ
【図１】
0006789634.tif 000002
【図２Ａ】
0006789634.tif 000003
【図２Ｂ】
0006789634.tif 000004
【図３】
0006789634.tif 000005
【図４Ａ】
0006789634.tif 000006
【図４Ｂ】
0006789634.tif 000007
【図５Ａ】
0006789634.tif 000008
【図５Ｂ】
0006789634.tif 000009
【図５Ｃ】
0006789634.tif 000010
【図６Ａ】
0006789634.tif 000011
【図６Ｂ】
0006789634.tif 000012
【図７Ａ】
0006789634.tif 000013
【図７Ｂ】
0006789634.tif 000014
【図８Ａ】
0006789634.tif 000015
【図８Ｂ】
0006789634.tif 000016
【図９Ａ】
0006789634.tif 000017
【図９Ｂ】
0006789634.tif 000018
【図９Ｃ】
0006789634.tif 000019
【図１０Ａ】
0006789634.tif 000020
【図１０Ｂ】
0006789634.tif 000021
【図１１Ａ】
0006789634.tif 000022
【図１１Ｂ】
0006789634.tif 000023
【図１１Ｃ】
0006789634.tif 000024
【図１２Ａ】
0006789634.tif 000025
【図１２Ｂ】
0006789634.tif 000026